(57)【要約】【課題】画像上の輝点の特徴に応じた処理を自動的に施し、効果的な光強調表現をする。【解決手段】画像処理装置は、対象画像データから所定輝度値を超える高輝度領域を抽出する抽出手段と、抽出手段により抽出された高輝度領域の特徴に応じて、対象画像データに対して所定の画像効果を施すための複数の画像効果処理の中から何れかを選択する効果選択手段と、効果選択手段により選択された画像効果処理を対象画像データに施して、処理済画像データを生成する処理手段と、処理手段により生成された処理済画像データを再生する再生手段とを備える。【選択図】図１
2018186578.tif 000002
【特許請求の範囲】
【請求項１】
外部機器より入力された時間的に連続する複数の画像データを記録する記録部と、
前記複数の画像データのうちの１つの画像データを対象画像データとして設定する設定部と、
前記対象画像データから所定輝度値を超える高輝度領域を抽出する抽出部と、
前記対象画像データの前記高輝度領域に対し、複数の画像効果のうちの選択された特定画像効果を施して処理済画像データを生成する生成部と、
前記記録部に記録された前記複数の画像データを読み出し動画として再生した後、前記生成部で生成された前記処理済画像データを静止画として再生する再生部と、を備える画像再生装置。
【請求項２】
請求項１に記載の画像再生装置において、
前記生成部は、前記抽出部により抽出された高輝度領域の特徴に応じて特定画像効果を施す画像再生装置。
【請求項３】
請求項１または２に記載の画像再生装置において、
前記外部機器より入力された複数の画像データのシーンを判別するシーン判別部と、
前記シーン判別部により判別されたシーンに応じて前記特定画像効果の度合いを変更する変更部と、をさらに備え、
前記生成部は、前記変更部により変更された度合いの前記特定画像効果を施す画像再生装置。
【請求項４】
請求項１から３のいずれか一項に記載の画像再生装置において、
前記抽出部により複数の前記高輝度領域が抽出された場合は、前記生成部は、前記複数の高輝度領域ごとに前記特定画像効果を施す画像再生装置。
【請求項５】
請求項４に記載の画像再生装置において、
前記生成部は、前記複数の高輝度領域の個数と同数の前記処理済画像データを生成する画像再生装置。
【請求項６】
請求項１から５のいずれか一項に記載の画像再生装置において、
前記特定画像効果は光強調処理であり、
前記生成部は、前記抽出部で抽出された前記高輝度領域の大きさが閾値以上の場合は前記高輝度領域にフレア処理を施し、前記高輝度領域の大きさが閾値未満の場合は前記高輝度領域にクロスフィルタ処理を施す画像再生装置。
【請求項７】
請求項１から６のいずれか一項に記載の画像再生装置において、
前記対象画像データ上で人物の顔を検出する顔検出部をさらに備え、
前記生成部は、前記抽出部により抽出された前記高輝度領域の近傍に前記人物の顔が検出された場合には、前記高輝度領域に施す特定画像処理の度合いを調節して、前記特定画像処理後の前記高輝度領域と前記人物の顔とが重複しないようにする画像再生装置。
【請求項８】
請求項１から７のいずれか一項に記載の画像再生装置において、
前記再生部は、前記記録部に記録されている前記連続する複数の画像データを再生した後に、前記処理済画像データをフェードインさせながら静止画として再生表示する画像再生装置。
【請求項９】
請求項１から７のいずれか一項に記載の画像再生装置において、
前記再生部は、前記記録部に記録されている前記連続する複数の画像データを再生させた後に、前記処理済画像データと前記対象画像データとをクロスフェードさせながら表示する画像再生装置。
【発明の詳細な説明】
【技術分野】
【０００１】
本発明は、画像再生装置に関する。
【背景技術】
【０００２】
従来から、初期画像に加工情報に基づいて光強調表現を施した加工後画像と、初期画像から加工後画像までの変化過程を示す中間画像とを生成し、時間の経過に伴い初期画像と中間画像と加工後画像との順に画像を順次切り替えながらスライドショー表示するカメラが知られている（たとえば特許文献１）。
【先行技術文献】
【特許文献】
【０００３】
【特許文献１】特開２００９−２９５０４１号公報
【発明の概要】
【発明が解決しようとする課題】
【０００４】
しかしながら、初期画像上の輝点の特徴に応じた処理を自動的に施すことができず、効果的な光強調が表現できないという問題がある。
【課題を解決するための手段】
【０００５】
請求項１に記載の画像再生装置は、外部機器より入力された時間的に連続する複数の画像データを記録する記録部と、前記複数の画像データのうちの１つの画像データを対象画像データとして設定する設定部と、前記対象画像データから所定輝度値を超える高輝度領域を抽出する抽出部と、前記対象画像データの前記高輝度領域に対し、複数の画像効果のうちの選択された特定画像効果を施して処理済画像データを生成する生成部と、前記記録部に記録された前記複数の画像データを読み出し動画として再生した後、前記生成部で生成された前記処理済画像データを静止画として再生する再生部と、を備える。
【発明の効果】
【０００６】
本発明によれば、高輝度領域の特徴に応じて選択された画像効果処理を対象画像データに施して処理済画像データを生成して再生できる。
【図面の簡単な説明】
【０００７】
【図１】本発明の実施の形態によるデジタルカメラの要部構成を説明するブロック図
【図２】実施の形態によるデジタルカメラの撮像動作を説明するフローチャート
【図３】実施の形態によるデジタルカメラの再生モードでの動作を説明するフローチャート
【図４】実施の形態によるデジタルカメラの再生モードにおける通常再生時の動作を説明するフローチャート
【図５】テーマ再生処理を行う際の動作を説明する動作概念図
【図６】テーマ再生処理を行う際の動作を説明する動作概念図
【図７】テーマ再生処理を行う際の動作を説明する動作概念図
【図８】処理済画像データを生成するための生成処理の動作を説明するフローチャート
【図９】フレア効果処理を施す際の動作を説明するフローチャート
【図１０】クロスフィルタ効果処理を施す際の動作を説明するフローチャート
【図１１】実施の形態によるデジタルカメラの再生モードにおけるテーマ再生時の動作を説明するフローチャート
【図１２】変形例における画像再生装置の構成を示すブロック図
【発明を実施するための形態】
【０００８】
図面を参照して、本発明の一実施の形態における撮像装置として、レンズ交換式デジタルカメラを例に挙げて説明する。なお、レンズ固定式デジタルカメラについても本発明の一態様に含まれる。
【０００９】
図１はデジタルカメラ１の要部構成を示すブロック図である。デジタルカメラ１は、交換レンズ２００とカメラボディ１００とから構成され、交換レンズ２００がマウント部（不図示）を介してカメラボディ１００に装着される。
【００１０】
交換レンズ２００は、撮影レンズ２０１と、レンズ制御部２０２とを備えている。撮影レンズ２０１は、結像レンズや焦点調節レンズ等の種々の光学レンズ群を含んで構成される。なお、図１では撮影レンズ２０１を１枚のレンズで代表して表している。レンズ制御部２０２は、図示しないＣＰＵ、ＲＯＭ、ＲＡＭなどを有し、制御プログラムに基づいて、各種のデータ処理を実行したりする演算回路である。レンズ制御部２０２は、データ処理の結果に基づいて、撮影レンズ２０１や絞り（不図示）の駆動を制御したり、マウント部（不図示）に設けられた電気接点を介してカメラボディ１００との間で状態情報やレンズ情報の送信とカメラ情報の受信とを行ったりする。
【００１１】
カメラボディ１００は、撮像素子１０１、制御回路１０２、バッファメモリ１０３、ＬＣＤ駆動回路１０４、液晶表示器１０５、操作部１０６、メモリカードインタフェース１０７およびマイク１０８を備えている。撮像素子１０１には、ＣＣＤやＣＭＯＳ等の撮像画素が二次元状（行と列）に配置され、後述する制御回路１０２の制御に応じて駆動して、撮影レンズ２０１を通して入力される被写体像を撮像し、撮像して得た撮像信号を出力する。撮像素子１０１の撮像面には、それぞれＲ（赤）、Ｇ（緑）およびＢ（青）のカラーフィルタが画素位置に対応するように設けられている。撮像素子１０１がカラーフィルタを通して被写体像を撮像するため、撮像素子１０１から出力される撮像信号はＲＧＢ表色系の色情報を有する。
【００１２】
制御回路１０２は、図示しないＣＰＵ、ＲＯＭ、ＲＡＭなどを有し、制御プログラムに基づいて、デジタルカメラ１の各構成要素を制御したり、各種のデータ処理を実行する演算回路である。制御プログラムは、制御回路１０２内の不図示の不揮発性メモリに格納されている。制御回路１０２は、画像処理部１１２を機能として備えている。
【００１３】
画像処理部１１２は、撮像素子１０１から出力された撮像信号に対して、たとえばホワイトバランス調整やガンマ補正等の種々の画像処理を施して画像データを生成して、所定の圧縮処理を施して後述するメモリカード１０９へ記録する。画像処理部１１２は、撮像素子１０１から出力された撮像信号や、後述するメモリカード１０９に記録されている画像データに基づいて、後述する液晶表示器１０５に表示するための表示画像データを生成する。
【００１４】
バッファメモリ１０３は、画像処理前、画像処理後および画像処理途中のデータを一時的に記憶する他、メモリカード１０９へ記録する前の画像ファイルを記憶したり、メモリカード１０９から読み出した画像ファイルを記憶したりするために使用される。マイク１０８は、動画モードにて動画撮影中に、音声を入力し、増幅等の処理を行って音声データとして制御回路１０２へ出力する。
【００１５】
ＬＣＤ駆動回路１０４は、制御回路１０２の命令に基づいて液晶表示器１０５を駆動する回路である。液晶表示器１０５は、画像処理部１１２で作成された表示画像データに対応する画像の表示を行う。液晶表示器１０５には、デジタルカメラ１の各種動作を設定するためのメニュー画面が表示される。
【００１６】
メモリカードインタフェース１０７は、メモリカード１０９が着脱可能なインタフェースである。メモリカードインタフェース１０７は、制御回路１０２の制御に基づいて、画像ファイルをメモリカード１０９に書き込んだり、メモリカード１０９に記録されている画像ファイルを読み出すインタフェース回路である。メモリカード１０９はコンパクトフラッシュ（登録商標）やＳＤカードなどの半導体メモリカードである。
【００１７】
操作部１０６はユーザによって操作される種々の操作部材に対応して設けられた種々のスイッチを含み、操作部材の操作に応じた操作信号を制御回路１０２へ出力する。操作部材は、たとえばレリーズボタンや、液晶表示器１０５にメニュー画面を表示させるためのメニューボタンや、各種の設定等を選択操作する時に操作される十字キー、十字キーにより選択された設定等を決定するための決定ボタン、動画撮影モードと静止画撮影モードとを含む撮影モードと再生モードとの間でデジタルカメラ１の動作を切替えるモード切替ボタン等を含む。
【００１８】
本実施の形態では、たとえばメニュー画面上から選択可能な「きらめき」、「ゆらめき」、「愛らしさ」、「またたき」等のテーマが設けられている。それぞれのテーマは複数の画像効果処理が含まれる画像効果処理群であり、動画撮影中に取得された静止画上の輝点の特徴（たとえば大きさ）に応じた画像効果処理の何れかが画像効果処理群の中から選択されて、選択された画像効果処理が静止画に施された再生可能に構成されている。
【００１９】
テーマが「きらめき」の場合には、画像上の光源や輝点がより輝いた印象を与えるように光を強調する画像効果処理が施される。テーマ「きらめき」には、たとえば画像効果処理としてフレア効果処理とクロスフィルタ効果処理とが含まれている。テーマが「ゆらめき」には、たとえば、画像上のろうそく等の光源が揺れているような印象を与えるような画像処理効果が施される。テーマが「愛らしさ」の場合には、画像上の光源に対してソフトフィルタ処理を施して幻想的な雰囲気の画像としたり、光源にフィルタ処理を施して、たとえばハート型に加工する。テーマが「またたき」の場合には、たとえば画像上の川面が光を反射して輝いている状態がより効果的に表現できるように、輝点の輝度を変化させて点滅させるように再生させる。
【００２０】
次に、デジタルカメラ１の動作について撮影動作と再生動作とに分けて説明する。
−撮影動作−
ユーザによるレリーズボタンの半押し操作に応じて操作部１０６から操作信号が出力されると、制御回路１０２は、撮像素子１０１から所定の周期（たとえば６０ｆｐｓ）にて撮像信号を出力させる。画像処理部１１２は、所定の周期ごとに出力される撮像信号を用いて１フレームの画像データを生成して、バッファメモリ１０３に順次格納（バッファリング）する。
【００２１】
上記の処理を繰り返して行っている際に、ユーザによるレリーズボタンの全押し操作に応じて操作部１０６から操作信号が出力されると、画像処理部１１２は、このタイミングで出力された撮像信号を用いて静止画データを生成する。なお、本実施の形態においては、画像処理部１１２は、静止画データをたとえば３８４０×２１６０画素の解像度にて生成する。さらに、画像処理部１１２は、レリーズボタンの全押し操作の前後に生成された所定フレーム分の画像データを用いて動画像データを生成する。本実施の形態では、一例として９６フレーム分の画像データを用いて動画像データが生成されるものとする。なお、本実施の形態においては、画像処理部１１２は、１フレームの動画像データをたとえば１９２０×１０８０画素の解像度にて生成する。なお、上記の解像度、フレーム数、フレームレートの値は一例であり、この値に限定されるものではない。
【００２２】
上述のようにして生成された動画像データと静止画データとは、制御回路１０２によって、メモリカード１０９に記録される。このとき、操作部１０６の操作に応じて、上述したテーマが選択されている場合には、制御回路１０２は、選択されたテーマを示すテーマ情報を、動画像データと静止画データとに関連付けてメモリカード１０９に記録する。なお、テーマ情報は、後述する再生モードにより再生する際に変更可能に構成されていてもよい。
【００２３】
図２に示すフローチャートを参照しながら、デジタルカメラ１の撮影動作を説明する。図２の処理は制御回路１０２でプログラムを実行して行われる。このプログラムは、メモリ（不図示）に格納されており、制御回路１０２により起動され、実行される。
【００２４】
ステップＳ１では、ユーザによるレリーズボタンの半押し操作が行われたか否かを判定する。レリーズボタンの半押し操作に応じて操作部１０６から操作信号が出力された場合には、ステップＳ１が肯定判定されてステップＳ２へ進む。操作部１０６から操作信号が出力されていない場合には、ステップＳ１が否定判定されて当該判定処理を繰り返す。
【００２５】
ステップＳ２では、撮像素子１０１から撮像信号を出力させ、画像処理部１１２に所定の周期ごとに出力される撮像信号を用いて１フレームの画像データを生成させてステップＳ３へ進む。ステップＳ３では、生成された画像データをバッファメモリ１０３に格納してステップＳ４へ進む。
【００２６】
ステップＳ４では、ユーザによるレリーズボタンの全押し操作が行われたか否かを判定する。レリーズボタンの全押し操作に応じて操作部１０６から操作信号が出力された場合には、ステップＳ４が肯定判定されてステップＳ５へ進む。操作部１０６から操作信号が出力されない場合には、ステップＳ４が否定判定されて当該判定処理を繰り返す。ステップＳ５では、ステップＳ３でバッファメモリ１０３に格納された画像データを動画像データとしたものと、ユーザのレリーズボタンの全押し操作に応じて生成された静止画データとを関連付けてメモリカード１０９に記録して処理を終了する。なお、上述したように、テーマが選択されている場合には、選択されたテーマを示すテーマ情報が動画像データと静止画データとに関連付けてメモリカード１０９に記録される。
−再生動作−
本実施の形態によるデジタルカメラ１の制御回路１０２は、図１に示すように、設定部１０２ａ、抽出部１０２ｂ、効果選択部１０２ｃ、処理部１０２ｄおよび再生部１０２ｅを機能的に備えている。このため、再生モードが設定されると、デジタルカメラ１は、動画撮影により生成された動画像データの再生に続いて、動画撮影中にユーザのレリーズボタンの操作により取得された静止画データに対して設定されたテーマに応じた画像効果処理を施した画像データ（以後、処理済画像データと呼ぶ）を動画形式にて表示させる。
【００２７】
図３に示すフローチャートを参照しながら、再生モードにおける制御回路１０２の動作の概要を説明する。図３の処理は制御回路１０２でプログラムを実行して行われる。このプログラムは、メモリ（不図示）に格納されており、再生モードが選択されると制御回路１０２により起動され、実行される。
【００２８】
図３のステップＳ１０では、テーマの選択が行われたか否かが判定される。テーマの選択が行われた場合、すなわち動画像データおよび静止画データと関連付けされたテーマ情報がある場合、または、再生モードの設定に際して、ユーザによりモードの選択が行われた場合には、ステップＳ１０が肯定判定されてステップＳ１１へ進む。テーマの選択が行われていない場合には、ステップＳ１０が否定判定されてステップＳ１２へ進む。
【００２９】
ステップＳ１１では、選択されたテーマに応じた再生処理（テーマ再生処理）を行って処理を終了する。テーマ再生処理については、図１１のフローチャートを用いて後述する。ステップＳ１２では、テーマが選択されていない場合の再生処理（通常再生処理）を行って処理を終了する。通常再生処理については、図４のフローチャートを用いて後述する。
−通常再生処理−
再生部１０２ｅは、ＬＣＤ駆動回路１０４に指令して、メモリカード１０９から読み出した動画像データと静止画データとのうち、動画像データの第１フレームから、順次、液晶表示器１０５に再生させる。再生部１０２ｅは、動画像データの再生開始時には、たとえば０．５秒間にて黒フェードインし、動画像データの再生終了時には、たとえば０．５秒間にて黒フェードアウトさせる。なお、本発明においては、動画像データのフェードイン、フェードアウトの際に黒とするものに限定されるものではない。
【００３０】
動画像データの再生が終了すると、再生部１０２ｅは、ＬＣＤ駆動回路１０４に指令して、静止画データを液晶表示器１０５に表示させる。再生部１０２ｅは、静止画データの表示開始時に、たとえば１．５秒間にて黒フェードインさせる。なお、本発明においては、静止画データのフェードインの際に黒とするものに限定されるものではない。静止画データが液晶表示器１０５に表示を開始してから所定の時間が経過すると、再生部１０２ｅは、静止画データの表示を終了させる。なお、静止画データを表示させる所定の時間は、予め設定された時間であっても良いし、ユーザにより設定された時間であっても良い。
【００３１】
図４に示すフローチャートを参照しながら、図３のステップＳ１２における通常再生処理について説明する。
【００３２】
ステップＳ２０では、再生部１０２ｅは、動画像データの第１フレームから順次再生させることにより、動画像データの再生を開始してステップＳ２１へ進む。ステップＳ２１では、再生部１０２ｅは、０．５秒間にて黒フェードインさせてステップＳ２２へ進む。ステップＳ２２では、再生部１０２ｅは動画像データの再生終了時刻の０．５秒前であるか否かを判定する。再生終了時刻の０．５秒前の場合には、ステップＳ２２が肯定判定されてステップＳ２４へ進む。再生終了時刻の０．５秒前ではない場合には、ステップＳ２３へ進む。ステップＳ２３では、再生部１０２ｅは動画像データの再生を継続させてステップＳ２２へ進む。
【００３３】
ステップＳ２４では、再生部１０２ｅは０．５秒間にて黒フェードアウトさせてステップＳ２５へ進み、動画像データの再生を終了させる。ステップＳ２６では、再生部１０２ｅは、静止画データの表示を開始させてステップＳ２７へ進む。ステップＳ２７では、再生部１０２ｅは、１．５秒間にて黒フェードインさせてステップＳ２８へ進む。ステップＳ２８では、再生部１０２ｅは、静止画データを所定の時間にて表示させた後、静止画データの表示を終了して処理を終了する。
−テーマ再生処理−
テーマ再生処理では、動画像データの再生中に、抽出部１０２ｂ、効果選択部１０２ｃおよび処理部１０２ｄにより、選択されたテーマに応じた処理済画像データが生成される（生成処理）。そして、動画像データの再生後に、生成された処理済画像データと静止画データとをクロスフェードさせながら液晶表示器１０５に表示させる（表示処理）。以下、図５〜７に示す動作概念図を参照しながら、生成処理と表示処理とに分けて説明する。なお、本発明においては、テーマとして「きらめき」が選択されている場合における処理に特徴があるので、テーマが「きらめき」の場合の処理を中心に以下の説明を行う。
−−生成処理−−
設定部１０２ａは、上述した撮影動作にて生成された静止画データを、画像効果処理を施すための対象画像データとして設定する。なお、設定部１０２ａは、生成された動画像データのうちのいずれかのフレームの画像データを対象画像データとして設定しても良い。この場合、たとえばユーザの選択に応じて設定部１０２ａが動画像データの中から対象画像データを設定することが好ましい。
【００３４】
対象画像データが設定されると、抽出部１０２ｂは、対象画像データから輝点を検出する。この場合、抽出部１０２ｂは、対象画像データの各画素をスキャンして各画素ごとに輝度値を算出し、所定の輝度閾値ｔｈ１以上の輝度値を有する画素を輝点として抽出する。抽出部１０２ｂは、互いに隣接し合う輝点を結合して１つの領域とする。以後、抽出された輝点と、輝点が結合された領域とを総称して、高輝度領域と呼ぶ。
【００３５】
高輝度領域が抽出されると、効果選択部１０２ｃは、高輝度領域の特徴に応じて、テーマ「きらめき」に割り当てられた画像効果処理であるフレア効果処理およびクロスフィルタ効果処理のうちの何れかを選択する。この場合、効果選択部１０２ｃは、抽出された高輝度領域の面積を算出し、算出した面積が所定の面積閾値ｔｈ２以上か否かを判定する。複数の高輝度領域が抽出されている場合には、効果選択部１０２ｃは、それぞれの高輝度領域の面積を算出し、面積閾値ｔｈ２との比較を行う。高輝度領域の面積が面積閾値ｔｈ２以上の場合には、効果選択部１０２ｃは、高輝度領域に施す画像効果処理としてフレア効果処理を選択する。高輝度領域の面積が面積閾値ｔｈ２未満の場合には、効果選択部１０２ｃは、高輝度領域に施す画像効果処理としてクロスフィルタ効果処理を選択する。
【００３６】
処理部１０２ｄは、効果選択部１０２ｃにより選択された画像効果処理を高輝度領域に施すことによって、光強調表現がなされた処理済画像データを生成する。フレア効果処理が選択されている場合には、処理部１０２ｄは、高輝度領域の重心となる画素の位置を算出する。そして、処理部１０２ｄは、算出した重心の画素を中心とした所定の範囲内の画素を光源色と同色にて飽和させることによって処理済画像データを生成する。なお、上記の所定の範囲の大きさは、高輝度領域の輝度値に応じて変化させても良い。この場合、処理部１０２ｄは、高輝度領域の輝度値が増加するに従って、所定の範囲を拡大すれば良い。
【００３７】
図５、図６はフレア効果処理が選択されている場合における対象画像データと処理済画像データとを例示して示す図である。なお、図５は１つの高輝度領域が抽出された場合を示し、図６は複数の高輝度領域の一例として２つの高輝度領域が抽出された場合を示している。図５に示すように、静止画データである対象画像データＤ１にて抽出された面積閾値ｔｈ２以上の面積を有する高輝度領域ＢＲ１１に対してフレア効果処理が施されることにより、処理済画像データＥＤ１が生成される。その結果、処理済画像データＥＤ１においては、対象画像データＤ１と比較して、高輝度領域ＢＲ１１と同色の領域が大きくなる。
【００３８】
図６に示す例では、静止画データである対象画像データＤ２上には、面積閾値ｔｈ２以上の面積を有する２つの高輝度領域ＢＲ２１、ＢＲ２２が抽出されている。高輝度領域ＢＲ２１に対してフレア効果処理が施されることにより、処理済画像データＥＤ２１が生成される。さらに、高輝度領域ＢＲ２２に対してフレア効果処理が施されることにより、処理済画像データＥＤ２２が生成される。処理済画像データＥＤ２１においては、対象画像データＤ２と比較して、高輝度領域ＢＲ２１と同色の領域が大きくなるが、高輝度領域ＢＲ２２と同色の領域の大きさには変化はない。処理済画像データＥＤ２２においては、対象画像データＤ２と比較して、高輝度領域ＢＲ２２と同色の領域が大きくなるが、高輝度領域ＢＲ２１と同色の領域の大きさには変化はない。すなわち、一つの対象画像データ上に複数（たとえばＮ個（Ｎは２以上の自然数））の高輝度領域が抽出されている場合には、処理部１０２ｄは、Ｎ個のうちのいずれか１個の高輝度領域にフレア効果処理が施されたＮ個の異なる処理済画像データを生成する。
【００３９】
クロスフィルタ効果処理が選択されている場合には、処理部１０２ｄは、高輝度領域の重心となる画素の位置を算出する。そして、処理部１０２ｄは、算出した重心を起点として、公知の方法を用いて光源色と同色のクロスパターン（光条）を描画する。この場合、処理部１０２ｄは、ある高輝度領域の重心と、他の高輝度領域の重心との距離を算出して、それぞれの高輝度領域に描画するクロスパターンが交わらないように、クロスパターンの大きさを決定する。
【００４０】
図７はクロスフィルタ効果処理が選択されている場合における対象画像データと処理済画像データとを例示して示す図である。静止画データである対象画像データＤ３上にて抽出された面積閾値ｔｈ２未満の面積を有する３つの高輝度領域ＢＲ３１、３２、３３に対してクロスフィルタ効果処理が施される。その結果、高輝度領域ＢＲ３１、３２、３３に対してクロスパターンが描画された、処理済画像データＥＤ３が生成される。
【００４１】
図８に示すフローチャートを参照しながら、生成処理における制御回路１０２の動作を説明する。図８の処理は制御回路１０２でプログラムを実行して行われる。このプログラムは、メモリ（不図示）に格納されており、再生モードが選択され、静止画データが読み出されると制御回路１０２により起動され、実行される。
【００４２】
ステップＳ３０１では、設定部１０２ａは対象画像データを設定してステップＳ３０２へ進む。ステップＳ３０２では、抽出部１０２ｂは、対象画像データから高輝度領域を抽出してステップＳ３０３へ進む。効果選択部１０２ｃは、高輝度領域の面積を算出してステップＳ３０４へ進む。ステップＳ３０４では、効果選択部１０２ｃは、算出した高輝度領域の面積が面積閾値ｔｈ２以上か否かを判定する。高輝度領域の面積が面積閾値ｔｈ２以上の場合には、ステップＳ３０４が肯定判定されてステップＳ３０５へ進む。高輝度領域の面積が面積閾値ｔｈ２未満の場合には、ステップＳ３０４が否定判定されてステップＳ３０６へ進む。
【００４３】
ステップＳ３０５では、処理部１０２ｄは対象画像データに対してフレア効果処理を施して処理済画像データを生成して処理を終了する。ステップＳ３０６では、処理部１０２ｄは、対象画像データに対してクロスフィルタ効果処理を施して処理済画像データを生成して処理を終了する。
【００４４】
図９に示すフローチャートを用いて、図８のステップＳ３０５におけるフレア効果処理における動作について説明する。
【００４５】
ステップＳ４０１では、処理部１０２ｄは、抽出された高輝度領域の重心を算出してステップＳ４０２へ進む。ステップＳ４０２では、算出された重心の位置から所定の範囲を高輝度領域と同色で飽和させることにより、１つの処理済画像データを生成してステップＳ４０３へ進む。
【００４６】
ステップＳ４０３では、処理部１０２ｄは、抽出された高輝度領域が複数か否かを判定する。複数の高輝度領域が抽出されている場合には、ステップＳ４０３が肯定判定されてステップＳ４０４へ進む。高輝度領域が１つだけ抽出されている場合には、ステップＳ４０３が否定判定されて処理を終了する。ステップＳ４０４では、抽出された全ての高輝度領域に対して処理が行われたか否かを判定する。全ての高輝度領域に対して処理が行われ、抽出された高輝度領域の個数と同数の処理済画像データが生成されている場合には、ステップＳ４０４が肯定判定されて処理を終了する。全ての高輝度領域に対して処理が終了していない場合には、ステップＳ４０４が否定判定されてステップＳ４０１へ戻る。
【００４７】
図１０に示すフローチャートを用いて、図８のステップＳ３０６におけるクロスフィルタ効果処理における動作について説明する。
【００４８】
ステップＳ５０１では、処理部１０２ｄは、抽出された各高輝度領域の重心をそれぞれ算出してステップＳ５０２へ進む。ステップＳ５０２では、算出された重心の位置を用いて、それぞれの高輝度領域の重心間の距離を算出してステップＳ５０３へ進む。ステップＳ５０３においては、処理部１０２ｄは、重心間の距離に応じてクロスフィルタの大きさを決定してステップＳ５０４へ進む。ステップＳ５０４では、対象画像データに対してクロスフィルタ効果処理を施して、処理済画像データを生成して処理を終了する。
−−表示処理−−
再生部１０２ｅは、通常再生処理の場合と同様にして、ＬＣＤ駆動回路１０４に指令して、メモリカード１０９から読み出した動画像データと静止画データとのうち、動画像データの第１フレームから、順次、液晶表示器１０５に再生させる。再生部１０２ｅは、動画像データの再生開始時には、たとえば０．５秒間にて黒フェードインし、動画像データの再生終了時には、たとえば０．５秒間にて白フェードアウトさせる。なお、本発明においては、動画像データのフェードインの際に黒とするものに限定されるものではない。また、動画像データのフェードアウトの際に白とするものに限定されず、たとえば生成処理の際に抽出部１０２ｂによって抽出された高輝度領域の色と同色にてフェードアウトしてもよい。
【００４９】
動画像データの再生が終了すると、再生部１０２ｅは、ＬＣＤ駆動回路１０４に指令して、動画像データの再生中に上記の生成処理によって生成された処理済画像データと、静止画データとを液晶表示器１０５に表示させる。再生部１０２ｅは、効果選択部１０２ｃにより選択された画像効果処理、すなわちフレア効果処理かクロスフィルタ効果処理かに応じて、処理済画像データおよび静止画データの表示方法を異ならせる。以下、フレア効果処理が選択された場合とクロスフィルタ効果処理が選択された場合とに分けて説明を行う。
（１）フレア効果処理が選択された場合
再生部１０２ｅは、処理済画像データの表示開始時に、たとえば１．５秒間にて白フェードインさせる。なお、本発明においては、処理済画像データのフェードインの際に白とするものに限定されるものではなく、たとえば生成処理の際に抽出部１０２ｂによって抽出された高輝度領域の色と同色にてフェードインしてもよい。そして、白フェードイン終了後、すなわち処理済画像データの表示開始から１．５秒後に、再生部１０２ｅは、静止画データ、すなわち画像効果処理が施されていない画像を液晶表示器１０５に表示させる。このとき、再生部１０２ｅは、処理済画像データと静止画データとを、たとえばレイヤー処理を用いて、それぞれのレイヤーの混合比率を表示時間の経過とともに変化させることにより、互いにクロスフェードさせて液晶表示器１０５に表示させる。
【００５０】
図５を参照しながら、対象画像データＤ１から１つの高輝度領域ＢＲ１１が抽出された場合について説明する。上述したように、再生部１０２ｅが動画像データを再生している最中に、対象画像データＤ１に対して生成処理が施され、処理済画像データＥＤ１が生成される。時刻ｔ１にて動画データの再生が終了すると、再生部１０２ｅは、生成された処理済画像データＥＤ１の表示を開始する。このとき、再生部１０２ｅは、上述したように、１．５秒間にて白フェードインさせる。
【００５１】
時刻ｔ１から１．５秒が経過した時刻ｔ２において、再生部１０２ｅは、処理済画像データＥＤ１の透過率を１００パーセントにて表示させるとともに、静止画データ（すなわち生成処理が施されていない対象画像データＤ１）を透過率０パーセントにて表示させる。すなわち、時刻ｔ２においては、処理済画像データＥＤ１に対応する画像がユーザに視認できるが、静止画データＤ１に対応する画像はユーザに視認できないように液晶表示器１０５に表示される。
【００５２】
時刻ｔ２以降においては、再生部１０２ｅは、処理済画像データＥＤ１の透過率の遷移を開始させ、表示時間の経過とともに徐々に透過率を低くさせるとともに、再生部１０２ｅは、静止画データＤ１の透過率を表示時間の経過とともに徐々に高くなるように遷移させる。本実施の形態においては、再生部１０２ｅは、時刻ｔ４において、処理済画像データＥＤ１の透過率が０パーセント、静止画データＤ１の透過率が１００パーセントとなるように、それぞれの透過率を遷移させる。
【００５３】
このため、それぞれの透過率が５０パーセントとなる時刻ｔ３では、処理済画像データＥＤ１における高輝度領域ＢＲ１１の大きさと静止画データＤ１における高輝度領域ＢＲ１１の大きさとの中間の大きさを有する高輝度領域が表現された画像データＸが観察される。そして、時刻ｔ４では、再生部１０２ｅは、処理済画像データＥＤ１の表示を終了させ、以後、所定時間だけ静止画データＤ１のみを液晶表示器１０５に表示させる。
【００５４】
上記のように処理済画像データＥＤ１の透過率と静止画データＤ１の透過率とを制御してクロスフェード表示を行うことにより、動画像データの再生終了後の白フェードインからフレア効果処理が最も再現された画像に遷移して、時間の経過とともに徐々にフレア効果処理が弱く表現された画像へ遷移する。そして、最終的には、画像効果処理の施されていない画像が表示される。なお、処理済画像データＥＤ１と静止画データＤ１とをクロスフェードさせて表示する時間（時刻ｔ２〜ｔ４）と、静止画データＤ１のみを表示する時間とは、予め設定された時間であってもよいし、ユーザによる設定操作に応じて設定された時間であってもよい。
【００５５】
次に、対象画像データから複数の高輝度領域が抽出された場合について説明する。複数の高輝度領域が抽出された場合の一例として、図６を用いて２つの高輝度領域が抽出されたときの処理を説明する。上述したように、再生部１０２ｅが動画像データを再生している最中に、対象画像データＤ２に対して生成処理が施され、処理済画像データＥＤ２１、ＥＤ２２が生成される。時刻ｔ１にて動画データの再生が終了すると、再生部１０２ｅは、生成された処理済画像データＥＤ２１の表示を開始する。このとき、再生部１０２ｅは、上述したように、１．５秒間にて白フェードインさせる。
【００５６】
時刻ｔ１から１．５秒が経過した時刻ｔ２において、再生部１０２ｅは、処理済画像データＥＤ２１の透過率を１００パーセントにて表示させるとともに、処理済画像データＥＤ２２の透過率を０パーセントにて表示させる。すなわち、時刻ｔ２においては、処理済画像データＥＤ２１に対応する画像がユーザに視認できるが、処理済画像データＥＤ２２に対応する画像はユーザに視認できないように液晶表示器１０５に表示される。
【００５７】
時刻ｔ２以降においては、再生部１０２ｅは、処理済画像データＥＤ２１の透過率の遷移を開始させ、表示時間の経過とともに徐々に透過率を低くさせるとともに、再生部１０２ｅは、処理済画像データＥＤ２２の透過率を表示時間の経過とともに徐々に高くなるように遷移させる。本実施の形態においては、再生部１０２ｅは、時刻ｔ３において、処理済画像データＥＤ２１の透過率が０パーセント、処理済画像データＥＤ２２の透過率が１００パーセントとなるように、それぞれの透過率を遷移させる。
【００５８】
上記のように処理済画像データＥＤ２１の透過率と処理済画像データＥＤ２２の透過率とを制御してクロスフェード表示を行うことにより、動画像データの再生終了後の白フェードインから高輝度領域ＢＲ２１にフレア効果処理が最も再現された画像に遷移する。そして、時間の経過とともに高輝度領域ＢＲ２１に施されたフレア効果処理が徐々に弱く表現されるとともに、高輝度領域ＢＲ２２に施されたフレア効果処理が徐々に強く表示された画像へ遷移する。そして、時刻ｔ３では、高輝度領域ＢＲ２２にのみフレア効果処理が施された画像が表示される。
【００５９】
時刻ｔ３以降においては、再生部１０２ｅは、処理済画像データＥＤ２２の透過率の遷移を開始させ、表示時間の経過とともに徐々に透過率を低くさせるとともに、再生部１０２ｅは、静止画データＤ２（画像効果処理が施されていない対象画像データＤ２）の透過率を表示時間の経過とともに徐々に高くなるように遷移させる。本実施の形態においては、再生部１０２ｅは、時刻ｔ４において、処理済画像データＥＤ１の透過率が０パーセント、静止画データＤ２の透過率が１００パーセントとなるように、それぞれの透過率を遷移させる。そして、時刻ｔ４では、再生部１０２ｅは、処理済画像データＥＤ２２の表示を終了させ、以後、所定時間だけ静止画データＤ２のみを液晶表示器１０５に表示させる。
【００６０】
上記のように処理済画像データＥＤ２２の透過率と静止画データＤ２の透過率とを制御してクロスフェード表示を行うことにより、時間の経過とともに高輝度領域ＢＲ２２に施されたフレア効果処理が弱く表現された画像へ遷移する。そして、最終的には、画像効果処理の施されていない画像が表示される。なお、処理済画像データＥＤ２１と処理済画像データＥＤ２２とをクロスフェードさせて表示する時間（時刻ｔ２〜ｔ３）、処理済画像データＥＤ２２と静止画データＤ２とをクロスフェードさせて表示する時間（時刻ｔ３〜ｔ４）と、静止画データＤ１のみを表示する時間とは、予め設定された時間であってもよいし、ユーザによる設定操作に応じて設定された時間であってもよい。
（２）クロスフィルタ効果処理が選択された場合
再生部１０２ｅは、静止画データ、すなわち画像効果処理が施されていない対象画像データの表示開始時に、たとえば１．５秒間にて白フェードインさせる。なお、本発明においては、静止画データのフェードインの際に白とするものに限定されるものではなく、たとえば生成処理の際に抽出部１０２ｂによって抽出された高輝度領域の色と同色にてフェードインしてもよい。そして、白フェードイン終了後、すなわち静止画データの表示開始から１．５秒後に、再生部１０２ｅは、処理済画像データの表示を開始させる。このとき、再生部１０２ｅは、処理済画像データと静止画データとを、たとえばレイヤー処理を用いて、それぞれのレイヤーの混合比率を表示時間の経過とともに変化させることにより、互いにクロスフェードさせて液晶表示器１０５に表示させる。
【００６１】
図７を参照しながらクロスフィルタ効果処理が選択された場合における再生時の動作を説明する。上述したように、再生部１０２ｅが動画像データを再生している最中に、対象画像データＤ３（画像効果処理が施されていない対象画像データＤ３）に対して生成処理が施され、処理済画像データＥＤ３が生成される。時刻ｔ１にて動画データの再生が終了すると、再生部１０２ｅは、静止画データＤ３の表示を開始する。このとき、再生部１０２ｅは、上述したように、１．５秒間にて白フェードインさせる。
【００６２】
時刻ｔ１から１．５秒が経過した時刻ｔ２において、再生部１０２ｅは、静止画データＤ３の透過率を１００パーセントにて表示させるとともに、処理済画像データＥＤ３を透過率０パーセントにて表示させる。すなわち、時刻ｔ２においては、静止画データＤ３に対応する画像がユーザに視認できるが、処理済画像データＥＤ３に対応する画像はユーザに視認できないように液晶表示器１０５に表示される。
【００６３】
時刻ｔ２以降においては、再生部１０２ｅは、静止画データＤ３の透過率の遷移を開始させ、表示時間の経過とともに徐々に透過率を低くさせるとともに、再生部１０２ｅは、処理済画像データＥＤ３の透過率を表示時間の経過とともに徐々に高くなるように遷移させる。本実施の形態においては、再生部１０２ｅは、時刻ｔ３において、静止画データＤ３の透過率が０パーセント、処理済画像データＥＤ３の透過率が１００パーセントとなるように、それぞれの透過率を遷移させる。
【００６４】
時刻ｔ３以降においては、再生部１０２ｅは、静止画データＤ３の透過率の遷移を開始させ、表示時間の経過とともに徐々に透過率を高くさせるとともに、再生部１０２ｅは、処理済画像データＥＤ３の透過率を表示時間の経過とともに徐々に低くなるように遷移させる。本実施の形態においては、再生部１０２ｅは、時刻ｔ４において、静止画データＤ３の透過率が１００パーセント、処理済画像データＥＤ３の透過率が０パーセントとなるように、それぞれの透過率を遷移させる。そして、時刻ｔ４では、再生部１０２ｅは、処理済画像データＥＤ３の表示を終了させ、以後、所定時間だけ静止画データＤ３のみを液晶表示器１０５に表示させる。
【００６５】
上記のように処理済画像データＥＤ３の透過率と静止画データＤ３の透過率とを制御してクロスフェード表示を行うことにより、動画像データの再生終了後の白フェードインから、時刻ｔ３までは時間の経過とともに徐々にクロスフィルタ効果処理が強く表現された画像へ遷移する。そして、時刻ｔ３以降は、時間の経過とともに、クロスフィルタ効果処理の度合いが徐々に弱くなり、最終的に画像効果処理の施されていない画像が表示される。なお、処理済画像データＥＤ３と静止画データＤ３とをクロスフェードさせて表示する時間（時刻ｔ２〜ｔ４）と、静止画データＤ３のみを表示する時間とは、予め設定された時間であってもよいし、ユーザによる設定操作に応じて設定された時間であってもよい。
【００６６】
図１１に示すフローチャートを参照しながら、図３のステップＳ１１におけるテーマ再生処理について説明する。
【００６７】
ステップＳ６０１では、再生部１０２ｅは、動画像データの第１フレームから順次再生させることにより、動画像データの再生を開始してステップＳ６０２へ進む。ステップＳ６０２では、再生部１０２ｅは、０．５秒間にて黒フェードインさせてステップＳ６０３へ進む。ステップＳ６０３では、図８〜図１０を用いて説明した生成処理を行ってステップＳ６０４へ進む。
【００６８】
ステップＳ６０４では、再生部１０２ｅは動画像データの再生終了時刻の０．５秒前であるか否かを判定する。再生終了時刻の０．５秒前の場合には、ステップＳ６０４が肯定判定されてステップＳ６０６へ進む。再生終了時刻の０．５秒前ではない場合には、ステップＳ６０５へ進む。ステップＳ６０５では、再生部１０２ｅは動画像データの再生を継続させてステップＳ６０４へ進む。
【００６９】
ステップＳ６０６では、再生部１０２ｅは０．５秒間にて白フェードアウトさせてステップＳ６０７へ進み、動画像データの再生を終了させる。ステップＳ６０８では、再生部１０２ｅは、ステップＳ６０３の生成処理で生成される処理済画像データまたは静止画データの表示を開始させてステップＳ６０９へ進む。ステップＳ６０９では、再生部１０２ｅは、１．５秒間にて白フェードインさせてステップＳ６１０へ進む。ステップＳ６１０では、再生部１０２ｅは、処理済画像データ同士または処理済画像データと静止画データとをクロスフェードにより、互いの透過率を変化させながら表示させてステップＳ６１１へ進む。
【００７０】
ステップＳ６１１では、ステップＳ６０３で生成された処理済画像データが複数あるか否かを判定する。複数の処理済画像データが生成されている場合には、ステップＳ６１１が肯定判定されてステップＳ６１２へ進む。１つの処理済画像データが生成されている場合には、ステップＳ６１１が否定判定されてステップＳ６１３へ進む。
【００７１】
ステップＳ６１２では、生成された処理済画像データの全てが表示されたか否かを判定する。生成された全ての処理済画像データが表示されていない場合には、ステップＳ６１２が否定判定されてステップＳ６１０へ戻る。全ての処理済画像データが表示された場合には、ステップＳ６１２が否定判定されてステップＳ６１３へ進む。ステップＳ６１３では、静止画データの表示を終了して処理を終了する。
【００７２】
上述した実施の形態のデジタルカメラによれば、次の作用効果が得られる。
（１）効果選択部１０２ｃは抽出部１０２ｂにより対象画像データから抽出された高輝度領域の特徴（高輝度領域の大きさ）に応じて、複数の画像効果処理の中から何れかを選択し、処理部１０２ｄは効果選択部１０２ｃにより選択された画像効果処理を対象画像データに施して、処理済画像データを生成する。そして、再生部１０２ｅは、処理部１０２ｄにより生成された処理済画像データを再生する。したがって、複数種類の画像効果処理の中から画像中の輝点の特徴に応じた効果を自動的に施すことができるので、ユーザは何れかの画像効果処理を選択するという煩雑な操作をすることなく、効果的な光強調が成された画像を得ることができる。
（２）抽出部１０２ｂは、設定部１０２ａにより設定された対象画像データから所定輝度値を超える高輝度領域を抽出し、効果選択部１０２ｃは、抽出された高輝度領域の特徴（高輝度領域の大きさ）に応じて、対象画像データに対して複数の画像効果処理の中から何れかを選択する。処理部１０２ｄは、選択された画像効果処理を対象画像データに施して処理済画像データを生成し、再生部１０２ｅは、時間的に連続する複数の画像データを動画として再生した後、処理部１０２ｄにより生成された処理済画像データを静止画として再生する。したがって、動画の再生後に、画像中の輝点の特徴に応じた効果が自動的に施された静止画を再生させることによって、動画再生後の静止画に映像的な変化を持たせることができる。
（３）複数の画像効果処理がそれぞれに含まれた複数のテーマのうち、何れか一つのテーマを選択可能に構成し、効果選択部１０２ｃは、抽出部１０２ｂにより抽出された高輝度領域の特徴に応じて、選択されたテーマに含まれる複数の画像効果処理の中から何れかを選択するようにした。ユーザが選択したテーマの中に含まれる複数の画像効果処理の中から、画像中の輝点の特徴に応じた効果を自動的に施すことができるので、ユーザが所望する画像上の効果に近い光強調が成された画像を、煩雑な操作を行うことなく得ることができる。
（４）再生部１０２ｅは、動画を再生した後に、処理済画像データと対象画像データ（静止画データ）とをクロスフェードさせながら表示する。したがって、動画再生後に、輝点の光強調の度合いを時間の経過とともに変化させながら静止画を表示することができるので、静止画表示時における映像的な変化を持たせることができる。さらに、処理済画像データと対象画像データとをクロスフェードさせながら表示することにより、光強調の度合いがそれぞれ異なる中間画像データを大量に生成する必要がないので、処理負荷を軽減させることができる。
【００７３】
次のような変形も本発明の範囲内であり、変形例の一つ、もしくは複数を上述の実施形態と組み合わせることも可能である。
（１）制御回路１０２に機能として、対象画像データのシーンを判定するシーン判定部を設けても良い。そして、シーン判定部による判定結果に応じて、テーマが選択されるようにしても良い。たとえば、シーン判定部により対象画像データが「電球」と判定された場合にはテーマ「きらめき」が選択され、「ろうそく」と判定された場合にはテーマ「ゆらめき」が選択され、「川面」と判定された場合にはテーマ「またたき」が選択される、等のようにすることができる。
（２）制御回路１０２が機能として備えるシーン判定部の判定結果に応じて、効果選択部１０２ｃにより選択された画像効果処理の度合いを変更可能にしても良い。たとえば、効果選択部１０２ｃによりフレア効果処理が選択されているとき、シーン判定部により「電球」と判定された場合には、処理部１０２ｄは、フレア効果処理を施す範囲を最大範囲のたとえば８０パーセントに設定し、「ろうそく」と判定されている場合には最大範囲のたとえば５０パーセントに設定することにより度合いを変更すればよい。
（３）制御回路１０２が機能として顔検出部を備え、処理部１０２ｄは、クロスフィルタ効果処理が検出した顔と重ならないように光条の大きさを決定しても良い。この場合、処理部１０２ｄは、高輝度領域の重心の位置と検出された顔までの距離を算出し、高輝度領域の重心間距離に基づいて算出されたクロスフィルタの大きさとの比較を行う。高輝度領域の重心の位置と検出された顔までの距離がクロスフィルタの大きさよりも小さい場合には、処理部１０２ｄは、クロスフィルタの大きさを高輝度領域の重心の位置と検出された顔までの距離よりも小さい値（たとえば８０パーセント）に設定すればよい。
（４）画像効果処理としてのフレア効果処理とクロスフィルタ効果処理とが「きらめき」以外のテーマに含まれても良い。この場合、「きらめき」以外のテーマの場合には、それぞれのテーマに応じて、輝度閾値ｔｈ１および面積閾値ｔｈ２が設定されていることが好ましい。
（５）動画再生時に処理済画像データを生成するものに代えて、動画再生をしていないタイミングで処理済画像データを生成し、動画像データと関連付けて処理済画像データを記録してもよい。
（６）処理済画像データを生成する際の処理負荷が大きく、生成に長時間を要する場合には、再生部１０２ｅはフレームレートを下げて（たとえば通常時の半分のフレームレート）動画像データを再生することにより、動画像データの再生終了までに処理済画像データの生成が間に合うようにしても良い。
（７）実施の形態においては、デジタルカメラ１を一例として説明したが、カメラと表示部とを備えるタブレット等の携帯情報表示端末等にも適用できる。
（８）デジタルカメラ１により処理済画像データの生成処理および再生処理を行うものに代えて、画像再生装置（たとえばパーソナルコンピュータ等）により処理済画像データの生成処理および／または再生処理を行ってもよい。
【００７４】
図１２に、画像再生装置としてパーソナルコンピュータを一例としたブロック図を示す。画像再生装置３００は、デジタルカメラ１で撮像した被写体像の画像データの表示や編集、画像データの保存を行う。画像再生装置３００は、制御回路３０１、ＨＤＤ３０２、モニタ制御回路３０３、モニタ３０４、バッファメモリ３０５、入力装置３０６、メモリカードインタフェース３０７、および外部インタフェース３０８を備える。外部インタフェース３０８は、所定のケーブルや無線伝送路を介してデジタルカメラ１等の外部装置とデータ通信を行う。
【００７５】
入力装置３０６は、ユーザによって操作され、たとえばキーボードやマウスなどで構成される。ＨＤＤ３０２には、たとえばデジタルカメラ１で撮影した動画や静止画に対応する画像ファイルなどが記録されている。外部インタフェース３０８は、たとえば画像再生装置３００にデジタルカメラ１などの外部機器を接続するＵＳＢインタフェースである。画像再生装置３００は、メモリカードインタフェース３０７や外部インタフェース３０８を介してメモリカード１０９や外部機器から画像ファイルなどを入力する。入力された画像ファイルは、制御回路３０１によりＨＤＤ３０２に記録される。上述したデジタルカメラ１で生成された画像ファイルも、同様にＨＤＤ３０２に記録される。
【００７６】
制御回路３０１は、画像再生装置３００の制御を行うマイクロコンピュータであり、ＣＰＵやＲＯＭその他周辺回路により構成される。制御回路３０１は、画像処理部３２０を機能として備える。画像処理部３２０は、入力された画像ファイルに基づいて、モニタ３０４に表示するための表示画像データを生成する。また、制御回路３０１は、設定部３２１と、抽出部３２２と、効果選択部３２３と、処理部３２４と、再生部３２５とを機能として備え、デジタルカメラ１の設定部１０２ａと、処理部１０２ｂと、効果選択部１０２ｃと、処理部１０２ｄと、再生部１０２ｅと同一の機能をそれぞれ有している。
【００７７】
メモリカード１０９を介して静止画データと処理済画像データと動画像データとが入力された場合には、再生部３２５は、実施の形態にて説明したようにして、入力した静止画データと処理済画像データと動画像データとを組み合わせて、モニタ３０４上に動画形式にて再生すればよい。メモリカード１０９を介して動画像データが入力された場合には、設定部３２１と、抽出部３２２と、効果選択部３２３と、処理部３２４とは、実施の形態にて説明したようにして、処理済画像データを生成する。そして、再生部３２５は、静止画データと生成した処理済画像データと動画像データとを組み合わせて、モニタ３０４上に動画形式にて再生すればよい。
【００７８】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７９】
１…デジタルカメラ、３００…画像再生装置、
１０１…撮像素子、１０２、３０１…制御回路、
１０２ａ、３２１…設定部、１０２ｂ、３２２…抽出部、
１０２ｃ、３２３…効果選択部、１０２ｄ、３２４…処理部、
１０２ｅ、３２５…再生部、１０６…操作部、
【図１】
2018186578.tif 000003
【図２】
2018186578.tif 000004
【図３】
2018186578.tif 000005
【図４】
2018186578.tif 000006
【図５】
2018186578.tif 000007
【図６】
2018186578.tif 000008
【図７】
2018186578.tif 000009
【図８】
2018186578.tif 000010
【図９】
2018186578.tif 000011
【図１０】
2018186578.tif 000012
【図１１】
2018186578.tif 000013
【図１２】
2018186578.tif 000014